(57)【要約】【課題】  ディスク状記録媒体に対するローディング動作及びイジェクト動作の信頼性の向上を図る。【解決手段】  ディスクテーブル１５を回転させるスピンドルモーター１４が固定され該スピンドルモーターの略軸方向へ移動可能なベースシャーシ１３と、該ベースシャーシをスピンドルモーターの略軸方向へ移動自在に支持するメカシャーシ１２と、ディスク挿入口９ａから挿入されたディスク状記録媒体１００を支持すると共にベースシャーシ及びメカシャーシ上を移動される支持部材５５とを設け、ディスク挿入口から挿入されたディスク状記録媒体を案内すると共に該ディスク状記録媒体のイジェクト時にベースシャーシから離隔される案内手段６０を設けた。【選択図】  図４５
2008016133.tif 000002
【特許請求の範囲】
【請求項１】
ディスク挿入口から挿入されてローディングされたディスク状記録媒体が装着されるディスクテーブルと、
モーター軸にディスクテーブルが固定され該ディスクテーブルを回転させるスピンドルモーターと、
スピンドルモーターが固定され該スピンドルモーターの略軸方向へ移動可能なベースシャーシと、
該ベースシャーシをスピンドルモーターの略軸方向へ移動自在に支持するメカシャーシと、
挿入されたディスク状記録媒体を支持すると共にベースシャーシ及びメカシャーシ上を移動される支持部材とを備え、
上記ディスク挿入口から挿入されたディスク状記録媒体を案内すると共に該ディスク状記録媒体のイジェクト時にベースシャーシから離隔可能な案内手段が設けられた
ことを特徴とするディスクドライブ装置。
【請求項２】
上記支持部材にディスク挿入口から挿入されたディスク状記録媒体を該ディスク状記録媒体の厚み方向から押さえる押さえ突片を設け、
上記案内手段を上記押さえ突片に対向する位置に設けた
ことを特徴とする請求項１に記載のディスクドライブ装置。
【請求項３】
上記支持部材の移動時にメカシャーシに摺動可能な作用部と、上記案内手段として機能する案内突片と、上記支持部材に支持され案内突片と作用部を連結する被支持部とを有し、ディスク挿入口から挿入されたディスク状記録媒体をイジェクトレバーの押さえ突片とともに保持するディスク受け部材を設け、
上記支持部材に取り付けられディスク受け部材を案内突片が押さえ突片から離隔する方向に押さえる押さえ部材を設け、
ディスク状記録媒体のイジェクト時にディスク受け部材は案内突片がメカシャーシ、ベースシャーシ及びディスクテーブル上を通過され、
イジェクト時に上記案内突片がディスクテーブル上を通過されるときに作用部がメカシャーシと接して押さえ部材の押付力に反してディスク受け部材は案内突片が押さえ突片に近付く方向へ移動され、
イジェクト時に上記案内突片がディスクテーブルを通過したときに作用部がメカシャーシから離隔され押さえ部材によってディスク受け部材は案内突片が押さえ突片から離隔する方向へ移動されるようにした
ことを特徴とする請求項２に記載のディスクドライブ装置。
【請求項４】
ディスク状記録媒体がディスク挿入口から挿入されるときにディスク受け部材の案内突片の先端部をベースシャーシに接触させるようにした
ことを特徴とする請求項３に記載のディスクドライブ装置。
【請求項５】
ディスク状記録媒体に対して情報信号の記録若しくは再生又はこれらの双方を行うディスクドライブ装置を備えた電子機器であって、
ディスク挿入口から挿入されてローディングされたディスク状記録媒体が装着されるディスクテーブルと、
モーター軸にディスクテーブルが固定され該ディスクテーブルを回転させるスピンドルモーターと、
スピンドルモーターが固定され該スピンドルモーターの略軸方向へ移動可能なベースシャーシと、
該ベースシャーシをスピンドルモーターの略軸方向へ移動自在に支持するメカシャーシと、
挿入されたディスク状記録媒体を支持すると共にベースシャーシ及びメカシャーシ上を移動される支持部材とを備え、
上記ディスク挿入口から挿入されたディスク状記録媒体を案内すると共に該ディスク状記録媒体のイジェクト時にベースシャーシから離隔可能な案内手段が設けられた
ことを特徴とする電子機器。
【発明の詳細な説明】
【技術分野】
【０００１】
本発明はディスクドライブ装置及び電子機器についての技術分野に関する。詳しくは、イジェクトレバーに支持された所定の方向へ移動可能なディスク受け部材を設けてディスク状記録媒体に対するローディング動作及びイジェクト動作の信頼性の向上を図る技術分野に関する。
【背景技術】
【０００２】
ディスク状記録媒体に対して情報信号の記録若しくは再生又はこれらの双方を行うディスクドライブ装置がある（例えば、特許文献１参照）。
【０００３】
このようなディスクドライブ装置においては、ディスク状記録媒体がディスク挿入口から挿入されると、例えば、回動可能なイジェクトレバーに形成された保持凹部にディスク状記録媒体の一部が挿入されて保持され、ディスク状記録媒体がイジェクトレバーを押圧しながらディスクローディング機構によってディスク状記録媒体がローディングされる。ローディングされたディスク状記録媒体はディスクテーブルに装着され、ディスク状記録媒体に対する情報信号の記録又は再生が可能とされる。情報信号の記録又は再生が終了したディスク状記録媒体は、イジェクトレバーによって押圧されてディスク挿入口から一部が突出されてイジェクトが行われる。
【０００４】
【特許文献１】特開２００５−８５４４９号公報
【発明の開示】
【発明が解決しようとする課題】
【０００５】
ところで、上記したイジェクトレバーは、その回動時に、所要の各部が配置されるメカシャーシやディスクテーブルが配置されるベースシャーシ上を通過する。従って、イジェクト時においてイジェクトレバーの回動時に、メカシャーシとベースシャーシとの間の隙間やベースシャーシとディスクテーブルとの間の隙間にイジェクトレバーが入り込んでしまいイジェクトレバーの動作に支障を来たすおそれがある。
【０００６】
一方、ディスク挿入口からディスク状記録媒体が挿入されるときには、ディスク状記録媒体の一部がイジェクトレバーに形成された保持凹部に挿入されるが、ディスク状記録媒体の保持凹部に対する良好な挿入性を確保してディスク状記録媒体のローディング動作の信頼性の向上を図る必要もある。
【０００７】
そこで、本発明ディスクドライブ装置及び電子機器は、上記した問題点を克服し、ディスク状記録媒体に対するローディング動作及びイジェクト動作の信頼性の向上を図ることを課題とする。
【課題を解決するための手段】
【０００８】
本発明ディスクドライブ装置及び電子機器は、上記した課題を解決するために、ディスク挿入口から挿入されてローディングされたディスク状記録媒体が装着されるディスクテーブルと、モーター軸にディスクテーブルが固定され該ディスクテーブルを回転させるスピンドルモーターと、スピンドルモーターが固定され該スピンドルモーターの略軸方向へ移動可能なベースシャーシと、該ベースシャーシをスピンドルモーターの略軸方向へ移動自在に支持するメカシャーシと、挿入されたディスク状記録媒体を支持すると共にベースシャーシ及びメカシャーシ上を移動される支持部材とを設け、上記ディスク挿入口から挿入されたディスク状記録媒体を案内すると共に該ディスク状記録媒体のイジェクト時にベースシャーシから離隔可能な案内手段を設けたものである。
【０００９】
従って、本発明ディスクドライブ装置及び電子機器にあっては、イジェクト時において案内手段がベースシャーシから離隔され得る。
【発明の効果】
【００１０】
本発明ディスクドライブ装置は、ディスク挿入口から挿入されてローディングされたディスク状記録媒体が装着されるディスクテーブルと、モーター軸にディスクテーブルが固定され該ディスクテーブルを回転させるスピンドルモーターと、スピンドルモーターが固定され該スピンドルモーターの略軸方向へ移動可能なベースシャーシと、該ベースシャーシをスピンドルモーターの略軸方向へ移動自在に支持するメカシャーシと、挿入されたディスク状記録媒体を支持すると共にベースシャーシ及びメカシャーシ上を移動される支持部材とを備え、上記ディスク挿入口から挿入されたディスク状記録媒体を案内すると共に該ディスク状記録媒体のイジェクト時にベースシャーシから離隔可能な案内手段が設けられたことを特徴とする。
【００１１】
従って、案内手段がディスクテーブルとベースシャーシの隙間等に入り込むようなことがなく、イジェクトレバーによるディスク状記録媒体のイジェクト動作の信頼性の向上を図ることができる。
【００１２】
請求項２に記載した発明にあっては、上記支持部材にディスク挿入口から挿入されたディスク状記録媒体を該ディスク状記録媒体の厚み方向から押さえる押さえ突片を設け、上記案内手段を上記押さえ突片に対向する位置に設けたので、ディスク挿入口から挿入されたディスク状記録媒体を案内手段と押さえ突片によって確実に保持することができる。
【００１３】
請求項３に記載した発明にあっては、上記支持部材の移動時にメカシャーシに摺動可能な作用部と、上記案内手段として機能する案内突片と、上記支持部材に支持され案内突片と作用部を連結する被支持部とを有し、ディスク挿入口から挿入されたディスク状記録媒体をイジェクトレバーの押さえ突片とともに保持するディスク受け部材を設け、上記支持部材に取り付けられディスク受け部材を案内突片が押さえ突片から離隔する方向に押さえる押さえ部材を設け、ディスク状記録媒体のイジェクト時にディスク受け部材は案内突片がメカシャーシ、ベースシャーシ及びディスクテーブル上を通過され、イジェクト時に上記案内突片がディスクテーブル上を通過されるときに作用部がメカシャーシと接して押さえ部材の押付力に反してディスク受け部材は案内突片が押さえ突片に近付く方向へ移動され、イジェクト時に上記案内突片がディスクテーブルを通過したときに作用部がメカシャーシから離隔され押さえ部材によってディスク受け部材は案内突片が押さえ突片から離隔する方向へ移動されるようにしたので、簡単な構成によって確実なイジェクト動作の実行を図ることができる。
【００１４】
請求項４に記載した発明にあっては、ディスク状記録媒体がディスク挿入口から挿入されるときにディスク受け部材の案内突片の先端部をベースシャーシに接触させるようにしたので、押さえ突片と案内突片との間に大きな開口が形成されて、ディスク状記録媒体の外周部が確実に挿入され、イジェクトレバーによってディスク状記録媒体を確実に保持することができる。
【００１５】
本発明電子機器は、ディスク状記録媒体に対して情報信号の記録若しくは再生又はこれらの双方を行うディスクドライブ装置を備えた電子機器であって、ディスク挿入口から挿入されてローディングされたディスク状記録媒体が装着されるディスクテーブルと、モーター軸にディスクテーブルが固定され該ディスクテーブルを回転させるスピンドルモーターと、スピンドルモーターが固定され該スピンドルモーターの略軸方向へ移動可能なベースシャーシと、該ベースシャーシをスピンドルモーターの略軸方向へ移動自在に支持するメカシャーシと、挿入されたディスク状記録媒体を支持すると共にベースシャーシ及びメカシャーシ上を移動される支持部材とを備え、上記ディスク挿入口から挿入されたディスク状記録媒体を案内すると共に該ディスク状記録媒体のイジェクト時にベースシャーシから離隔可能な案内手段が設けられたことを特徴とする。
【００１６】
従って、案内手段がディスクテーブルとベースシャーシの隙間等に入り込むようなことがなく、イジェクトレバーによるディスク状記録媒体のイジェクト動作の信頼性の向上を図ることができる。
【発明を実施するための最良の形態】
【００１７】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００１８】
尚、本発明電子機器及びディスクドライブ装置の適用範囲は、パーソナルコンピューター及びこれに備えられたディスクドライブ装置に限られることはなく、本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができ、本発明ディスクドライブ装置は、これらの各種の電子機器において扱われるディスク状記録媒体について情報信号の記録若しくは再生又はこれらの双方を行うディスクドライブ装置に広く適用することができる。
【００１９】
電子機器（パーソナルコンピューター）１は、例えば、装置本体２と該装置本体２に回動自在に支持されたディスプレイ装置３とを備え、装置本体２に所要の操作キーが配置されたキーボード４が設けられている（図１参照）。尚、電子機器１は、例えば、装置本体とキーボード装置が別体で設けられた所謂デスクトップ型の機器であってもよい。
【００２０】
装置本体２にはディスクドライブ装置５が内蔵されている。尚、以下のディスクドライブ装置５の説明においては、説明の便宜上、後述するディスク挿入口側を前方としディスク挿入口に対するディスク状記録媒体の挿入方向を後方とし、使用者がディスク挿入口にディスク状記録媒体１００を挿入する状態において、上下前後左右の向きを規定する。
【００２１】
ディスクドライブ装置５は扁平な略矩形状に形成され、外筐６内に所要の各部が配置されて成る（図２参照）。外筐６は一部を除き上方及び前方に開口された浅い箱状を為すロアーシェル７と該ロアーシェル７を上方から閉塞するアッパーシェル８とロアーシェル７の前方から閉塞するフロントパネル９とから成る。
【００２２】
アッパーシェル８の中央部には挿入孔８ａが形成されている。
【００２３】
フロントパネル９にはディスク挿入口９ａが形成され、該ディスク挿入口９ａはディスク状記録媒体１００の形状に対応して横長の形状に形成されている。ディスク挿入口９ａは図示しないシャッターによって開閉される。
【００２４】
ロアーシェル７は、図３に示すように、右端部が他の部分より一段高く位置された支持面部１０として設けられ、該支持面部１０以外の部分が上方に開口された配置凹部１１として形成されている。
【００２５】
支持面部１０の後端部には上方へ突出された支持軸１０ａが設けられている。支持面部１０の前後方向における略中央部には上方へ突出された案内軸１０ｂ、１０ｂが設けられている。
【００２６】
ロアーシェル７の配置凹部１１にはメカシャーシ１２がロアーシェル７の底面部と一定の間隔を有した状態で配置される（図３参照）。メカシャーシ１２には、その後側の部分を除く部分に配置孔１２ａが形成されている。
【００２７】
メカシャーシ１２には、図３に示すように、後端部にカム板配置孔１２ｂが形成され、後端寄りの位置における左端部に円弧状配置孔１２ｃが形成され、前後方向における略中央部の左端部に突部挿入孔１２ｄが形成されている。メカシャーシ１２の右側縁部には前後に延びる挿入用スリット１２ｅが形成されている（図４参照）。
【００２８】
メカシャーシ１２には、図５に示すように、それぞれ下方へ突出された第１の支持ピン１２ｆ、第２の支持ピン１２ｇ、第３の支持ピン１２ｈ及び第４の支持ピン１２ｉが設けられている。第１の支持ピン１２ｆと第２の支持ピン１２ｇはメカシャーシ１２の後端部における右端部において前後に離隔して設けられ、第３の支持ピン１２ｈと第４の支持ピン１２ｉは円弧状配置孔１２ｃの直ぐ前側において前後に離隔して設けられている。
【００２９】
メカシャーシ１２の配置孔１２ａにはベースシャーシ１３が配置され、該ベースシャーシ１３はメカシャーシ１２に回動自在に支持される（図５参照）。
【００３０】
ベースシャーシ１３には、その後端寄りの位置にテーブル配置孔１３ａが形成されている。ベースシャーシ１３にはテーブル配置孔１３ａから前斜め左方へ延びるピックアップ用孔１３ｂが形成されている。
【００３１】
ベースシャーシ１３の後端寄りの位置には、スピンドルモーター１４が固定され、該スピンドルモーター１４のモーター軸にディスクテーブル１５が固定されている。ディスクテーブル１５は円板状に形成されたテーブル部１５ａと該テーブル部１５ａの中央部から上方へ突出されたセンター突部１５ｂとから成る。
【００３２】
センター突部１５ｂには周方向に離隔して保持爪１５ｃ、１５ｃ、１５ｃが設けられている。保持爪１５ｃ、１５ｃ、１５ｃはそれぞれセンター突部１５ｂの半径方向へ移動可能とされ、図示しないバネによりセンター突部１５ｂから放射方向へ突出する方向へ付勢されている。
【００３３】
ディスクテーブル１５はベースシャーシ１３のテーブル配置孔１３ａに配置され、テーブル部１５ａの上面がベースシャーシ１３の上面と略同一の高さに位置されている。
【００３４】
ベースシャーシ１３の下面側には光ピックアップ１６がディスクテーブル１５に離接する方向へ移動自在に支持されている。光ピックアップ１６はベースシャーシ１３のピックアップ用孔１３ｂに対応して移動される。
【００３５】
ベースシャーシ１３は光ピックアップ１６の長手方向に直交する方向に延びる軸を支点としてメカシャーシ１２に回動自在に支持され、ディスクテーブル１５が略上下に移動する方向へ回動される。
【００３６】
ベースシャーシ１３の外周面からは外方へ向けて被作用ピン１３ｃ、１３ｄが突出されている。被作用ピン１３ｃ、１３ｄはそれぞれ後方、右方へ向けて突出されている。
【００３７】
ロアーシェル７の配置凹部１１には、その前端部における右端部に駆動モーター１７が配置されている（図３及び図６参照）。駆動モーター１７のモーター軸にはウォーム１８が固定されている。
【００３８】
駆動モーター１７の近傍の位置には、複数のギヤが互いに噛合されて成る減速ギヤ群１９が支持されている。減速ギヤ群１９はウォーム１８に噛合されている。
【００３９】
ロアーシェル７の右端部には、スライダー２０が前後方向へ移動自在に支持されている（図３乃至図５参照）。
【００４０】
スライダー２０は前後方向に長く形成されたスライドカム２１と板状のカムプレート２２が結合されて成る（図７乃至図９参照）。スライドカム２１はロアーシェル７の配置凹部１１の右端部に支持され、カムプレート２２はロアーシェル７の支持面部１０上に支持されている（図４参照）。
【００４１】
スライドカム２１の前端部における左側面にはラック部２１ａが形成されている（図９参照）。スライドカム２１の後端寄りの位置の左側の角部はスイッチ押圧部２１ｂとして設けられている。
【００４２】
スライドカム２１の前後方向における中央部には、左方に開口された昇降用カム溝２３が形成されている。昇降用カム溝２３は、前後に延びる下側部２３ａと、該下側部２３ａの前端から前斜め上方へ延びる後側傾斜部２３ｂと、該後側傾斜部２３ｂの前端から前斜め下方へ延びる前側傾斜部２３ｃと、該前側傾斜部２３ｃの前端から前方へ延びる上側部２３ｄとから成り、下側部２３ａが上側部２３ｄより下方に位置されている。
【００４３】
スライドカム２１の昇降用カム溝２３にはベースシャーシ１３に設けられた被作用ピン１３ｄが摺動自在に係合されている。
【００４４】
スライドカム２１の後端寄りの位置には、上方に開口された連動用カム溝２４が形成されている。連動用カム溝２４は、前後に延びる非作用部２４ａと、該非作用部２４ａの前端から右斜め前方へ延びる作用部２４ｂとから成る。
【００４５】
スライドカム２１の後端部には、上方に開口されたリンク用カム溝２５が形成されている。リンク用カム溝２５は、左右に短く延びる基端部２５ａと、該基端部２５ａの左端から前方へ延びる後側直線部２５ｂと、該後側直線部２５ｂの前端から左斜め前方へ延びる傾斜部２５ｃと、該傾斜部２５ｃの前端から前方へ延びる前側直線部２５ｄとから成る。
【００４６】
カムプレート２２はカム面部２６と該カム面部２６の左側縁から左方へ突出された結合突部２７とが一体に形成されて成る。カムプレート２２は、結合突部２７がメカシャーシ１２に形成された挿入用スリット１２ｅに左方から挿入され（図５参照）、スライドカム２１の上面に結合される。
【００４７】
カム面部２６の後端部には後方へ突出された押圧片２６ａが設けられている（図９参照）。
【００４８】
カム面部２６の左半部には、前後に延びる被案内孔２６ｂ、２６ｃが左右に離隔して形成されている。
【００４９】
カム面部２６の右半部には、カム孔２８が形成されている。カム孔２８は、略矩形状に大きく開口された大開口部２８ａと、該大開口部２８ａの前方に位置され前後方向へ延びる第１の直線部２８ｂと、該第１の直線部２８ｂの後端から右斜め後方へ延びる斜部２８ｃと、該斜部２８ｃの後端から後方へ延び大開口部２８ａの右端部に連続する第２の直線部２８ｄと、大開口部２８ａの後方に位置され前後に短く延びる直線係合部２８ｅと、該直線係合部２８ｅの前端から右斜め前方へ延びる傾斜係合部２８ｆとから成り、該傾斜係合部２８ｆの前端が大開口部２８ａの右端部に連続されている。
【００５０】
カムプレート２２は、図４に示すように、被案内孔２６ｂ、２６ｃにそれぞれロアーシェル７に設けられた案内軸１０ｂ、１０ｂが挿入され、スライドカム２１と一体となって前後方向へ移動される。
【００５１】
ロアーシェル７の支持面部１０にはロードレバー２９が回動自在に支持されている（図３及び図４参照）。ロードレバー２９は回動面部３０と該回動面部３０の一端部に回転自在に支持されたローラー３１とから成る（図１０参照）。
【００５２】
回動面部３０は、支持面部１０にカムプレート２２の下側において回動自在に支持されている。回動面部３０の他端部には上方へ突出された係合ピン３０ａが設けられている。係合ピン３０ａはカムプレート２２のカム孔２８に下方から挿入されている。
【００５３】
ロードレバー２９は板バネ３２によって回動方向における一方向、即ち、ローラー３１が略左方へ移動する方向へ付勢されている。板バネ３２は被取付面部３２ａと該被取付面部３２ａから左斜め前方へ突出されたバネ片部３２ｂとが一体に形成されて成る。板バネ３２は、図４に示すように、被取付面部３２ａが支持面部１０に取り付けられ、バネ片部３２ｂが右方からロードレバー２９の回動面部３０に押し当てられている。
【００５４】
ロアーシェル７の支持面部１０に設けられた支持軸１０ａにはセンターリングレバー３３が回動自在に支持されている（図４参照）。センターリングレバー３３はレバー本体３４に規制バネ３５が連結されて成る（図１１参照）。
【００５５】
レバー本体３４は、上下方向を向く被支持部３４ａと、該被支持部３４ａから突出された腕部３４ｂと、該腕部３４ｂの先端部に設けられた押さえ部３４ｃと、被支持部３４ａから上方へ突出された挿入軸部３４ｄと、被支持部３４ａから上方へ突出され挿入軸部３４ｄの近傍に位置するバネ掛け部３４ｅと、腕部３４ｂの下縁から水平方向へ突出された被規制突部３４ｆとから成る。
【００５６】
規制バネ３５は上下方向を向く基面部３６と該基面部３６から斜め方向へ突出されたバネ部３７とが一体に形成されて成る。基面部３６には図示しない被挿入孔が形成されている。基面部３６の前縁部には下方に折り曲げられた被押圧片部３６ａが設けられている。
【００５７】
規制バネ３５は被挿入孔にレバー本体３４の挿入軸部３４ｄが挿入されてレバー本体３４に挿入軸部３４ｄを支点として回動可能に連結される。規制バネ３５はバネ部３７がレバー本体３４の腕部３４ｂに前方側から押し当てられている。
【００５８】
センターリングレバー３３は挿入軸部３４ｄに支持面部１０に設けられた支持軸１０ａが挿入され、該支持軸１０ａを支点としてロアーシェル７に回動自在に支持される。
【００５９】
カムプレート２２には付勢力制御手段として機能する付勢力制御レバー３８が移動自在に支持されている（図４参照）。付勢力制御レバー３８は、図１０及び図１１に示すように、略前後方向に長く形成され、前端部に上方へ突出された第１の摺動ピン３８ａが設けられ、前後方向における中間部に上方へ突出された第２の摺動ピン３８ｂが設けられ、後端部に上方へ突出されたバネ掛けピン３８ｃが設けられている。
【００６０】
付勢力制御レバー３８は第１の摺動ピン３８ａと第２の摺動ピン３８ｂが、それぞれカムプレート２２のカム孔２８と被案内孔２６ｃに摺動自在に係合され、カムプレート２２に移動自在に支持されている。
【００６１】
センターリングレバー３３には戻しバネ３９が支持されている（図１１参照）。戻しバネ３９は、コイル部３９ａがセンターリングレバー３３の挿入軸部３４ｄに外嵌状に支持され、第１の腕部３９ｂがセンターリングレバー３３のバネ掛け部３４ｅに支持され、第２の腕部３９ｃが付勢力制御レバー３８のバネ掛けピン３８ｃに支持されている。従って、戻しバネ３９によってセンターリングレバー３３と付勢力制御レバー３８は互いに接する方向へ付勢される。
【００６２】
ロアーシェル７の配置凹部１１には昇降レバー４０が左右方向へ移動自在に支持されている（図３参照）。
【００６３】
昇降レバー４０は、図１２に示すように、左右方向に長く形成された昇降部４１と該昇降部４１の右端部から後方へ突出された連結部４２とが一体に形成されて成る。
【００６４】
昇降部４１には前方に開口された昇降用係合溝４３が形成されている。昇降用係合溝４３は、左右に延びる下側溝部４３ａと、該下側溝部４３ａの右端から右斜め上方へ延びる左側傾斜溝部４３ｂと、該左側傾斜溝部４３ｂの右端から右斜め下方へ延びる右側傾斜溝部４３ｃと、該右側傾斜溝部４３ｃの右端から右方へ延びる上側溝部４３ｄとから成り、下側溝部４３ａが上側溝部４３ｄより下方に位置されている。
【００６５】
昇降部４１の昇降用係合溝４３にはベースシャーシ１３に設けられた被作用ピン１３ｃが摺動自在に係合されている（図６参照）。
【００６６】
連結部４２には前後方向へ伸びる上方に開口された連結溝４２ａが形成されている（図１２参照）。
【００６７】
スライダー２０のスライドカム２１と昇降レバー４０は連結レバー４４によって連結されている（図６乃至図８参照）。
【００６８】
連結レバー４４は略三角形状に形成され、互いに離隔した端部にそれぞれ下方へ突出された連結ピン４４ａ、４４ｂが設けられている。連結レバー４４には連結ピン４４ａ、４４ｂ間に被支持孔４４ｃが形成されている。
【００６９】
連結レバー４４は被支持孔４４ｃにメカシャーシ１２の第１の支持ピン１２ｆが挿入され（図６参照）、該第１の支持ピン１２ｆを支点としてメカシャーシ１２に回動自在に支持される。連結レバー４４は、連結ピン４４ａがスライドカム２１の連動用カム溝２４に摺動自在に係合され、連結ピン４４ｂが昇降レバー４０の連結溝４２ａに摺動自在に係合され、スライドカム２１と昇降レバー４０を連結する。従って、スライドカム２１が前後方向へ移動され連結ピン４４ａが連動用カム溝２４の作用部２４ｂに係合されると、連結レバー４４が第１の支持ピン１２ｆを支点として回動され、昇降レバー４０が左右方向へ移動される。
【００７０】
メカシャーシ１２の第３の支持ピン１２ｈにはセンターリングベース４５が回動自在に支持されている（図５参照）。
【００７１】
センターリングベース４５はセンターリング部材４６とベース板４７が上下で結合されて成る（図１３参照）。
【００７２】
センターリング部材４６は上下方向を向く基板部４８と該基板部４８の左端部における前端部から上方へ突出されたセンターリング突部４９とが一体に形成されて成る。基板部４８には挿通孔４８ａが形成されている。センターリング突部４９の右側の側面は前方へ行くに従って緩やかに左方へ傾斜する第１の傾斜面４９ａと後方へ行くに従って緩やかに左方へ傾斜する第２の傾斜面４９ｂとが連続されて成る。
【００７３】
ベース板４７には被支持孔４７ａが形成され、該被支持孔４７ａはセンターリング部材４６の挿通孔４８ａより径が小さくされている。ベース板４７の後端部には上方へ突出された被押圧ピン４７ｂが設けられている。
【００７４】
センターリングベース４５はセンターリング部材４６とベース板４７が結合された状態において、ベース板４７の被支持孔４７ａの中心とセンターリング部材４６の挿通孔４８ａの中心とが一致される。
【００７５】
センターリングベース４５はベース板４７の被支持孔４７ａにメカシャーシ１２の第３の支持ピン１２ｈが挿入され、該第３の支持ピン１２ｈを支点としてメカシャーシ１２に回動自在に支持される。
【００７６】
センターリングベース４５がメカシャーシ１２に支持された状態において、ベース板４７の前端部とメカシャーシ１２との間に引張コイルバネ５０が支持される。従って、センターリングベース４５は引張コイルバネ５０によってセンターリング突部４９が略右方へ向かう方向へ付勢される。
【００７７】
センターリングベース４５はセンターリング突部４９がメカシャーシ１２の突部挿入孔１２ｄから上方へ突出されている。
【００７８】
メカシャーシ１２の第４の支持ピン１２ｉには回転ベース５１が回転自在に支持されている（図５参照）。
【００７９】
回転ベース５１は、図１４に示すように、略円形状に形成された円板部５２と該円板部５２の外周縁からそれぞれ放射方向へ突出された押圧板部５３、支持突部５４とから成る。
【００８０】
円板部５２は略中心部が第４の支持ピン１２ｉに回転自在に支持されている。円板部５２には外方へ突出された作用突片５２ａが設けられている。円板部５２の中心部には支持ピン１２ｉが挿入される被支持孔５２ｂが形成されている。
【００８１】
押圧板部５３は円板部５２より一段低い位置に設けられた突面部５３ａと該突面部５３ａの周方向における両側縁からそれぞれ上方へ突出された被押圧片部５３ｂ、スイッチ押圧片部５３ｃとから成る。
【００８２】
支持突部５４には、周方向における両側縁からそれぞれ上方へ突出された第１のストッパー片５４ａ、第２のストッパー片５４ｂが設けられている。
【００８３】
回転ベース５１にはディスク状記録媒体１００を支持する支持部材として機能するイジェクトレバー５５が回動可能な状態で支持されている（図７、図８及び図１４参照）。
【００８４】
イジェクトレバー５５は、図１４に示すように、平面で見て一つの角のみが鈍角に形成された略二等辺三角形状を為し、鋭角とされた一方の角部に被支持軸部５５ａが設けられ、鋭角とされた他方の角部に切欠５５ｂが形成されている。イジェクトレバー５５には被支持軸部５５ａと切欠５５ｂの間に上下に貫通された挿通孔５５ｃが形成され、切欠５５ｂと挿通孔５５ｃ間に上方へ開口された支持溝５５ｄが形成されている。イジェクトレバー５５の被支持軸部５５ａ側の角部は被ストッパー部５５ｅとして設けられている。
【００８５】
イジェクトレバー５５には支持溝５５ｄの直ぐ後側に取付部５５ｆが設けられ、該取付部５５ｆの後側に庇状に形成されたバネ押さえ部５５ｇが設けられている。イジェクトレバー５５には、切欠５５ｂの上方に押さえ突片５５ｈが設けられている。
【００８６】
イジェクトレバー５５は被支持軸部５５ａが回転ベース５１の支持突部５４に支持されている。
【００８７】
イジェクトレバー５５が回転ベース５１に支持された状態において、イジェクトレバー５５と回転ベース５１の間にリミッターバネ５６が支持される。リミッターバネ５６は捩じりコイルバネであり、コイル部５６ａがイジェクトレバー５５の被支持軸部５５ａに支持され、一端部５６ｂが回転ベース５１の第２のストッパー片５４ｂに支持され、他端部５６ｃがイジェクトレバー５５のバネ押さえ部５５ｇに支持される。従って、イジェクトレバー５５はリミッターバネ５６によって平面で見て時計回り方向へ付勢され、被ストッパー部５５ｅが回転ベース５１の第２のストッパー片５４ｂに接する位置に保持されている（図７及び図８参照）。
【００８８】
尚、イジェクトレバー５５は、被ストッパー部５５ｅが回転ベース５１の第１のストッパー片５４ａに接する位置まで反時計回り方向へ回動可能とされる。
【００８９】
イジェクトレバー５５にはディスク受け部材５７が支持されている（図７及び図１４参照）。ディスク受け部材５７は、図１４に示すように、水平方向に長い丸軸状に形成された被支持部５８と、該被支持部５８の軸方向における一端部から突出された作用部５９と、被支持部５８の軸方向における他端部から作用部５９と同じ方向へ突出された案内突片６０と、被支持部５８の軸方向における他端寄りの位置から案内突片６０に略直交する方向へ突出された被規制突部６１とが一体に形成されて成る。
【００９０】
被支持部５８には軸方向に離隔して平面状に切り欠かれた被押さえ面５８ａ、５８ａが形成されている。
【００９１】
案内突片６０はディスク挿入口９ａから挿入されたディスク状記録媒体１００を案内する案内手段として機能する。
【００９２】
ディスク受け部材５７は被支持部５８が支持溝５５ｄに挿入されてイジェクトレバー５５に被支持部５８の軸回り方向へ回転自在に支持される。ディスク受け部材５７がイジェクトレバー５５に支持された状態において、作用部５９がイジェクトレバー５５の挿通孔５５ｃに位置され、案内突片６０がイジェクトレバー５５の切欠５５ｂに位置される。ディスク受け部材５７は、被支持部５８の一方の軸回り方向へは、被規制突部６１がイジェクトレバー５５に接触するまで回転可能とされる。
【００９３】
ディスク受け部材５７は、被支持部５８からの作用部５９及び案内突片６０の突出方向と被支持部５８の被押さえ面５８ａ、５８ａとが形成する角度が９０°より稍大きくされている（図１５及び図１６参照）。
【００９４】
ディスク受け部材５７がイジェクトレバー５５に支持された状態において、押さえ部材６２がイジェクトレバー５５の取付部５５ｆに取り付けられる。押さえ部材６２には上下方向を向く２つの押さえ突部６２ａ、６２ａが設けられている。
【００９５】
ディスク受け部材５７は、被押さえ面５８ａ、５８ａがそれぞれ押さえ部材６２の押さえ突部６２ａ、６２ａに押さえられる。
【００９６】
ディスク受け部材５７が押さえ部材６２に押さえられた状態において、ディスク受け部材５７の作用部５９又は案内突片６０に下方からの力が付与されていないときには、図１５に示すように、被押さえ面５８ａ、５８ａがそれぞれ押さえ突部６２ａ、６２ａと面接触され、作用部５９及び案内突片６０は被支持部５８から斜め下方へ突出するように保持される。
【００９７】
一方、ディスク受け部材５７が押さえ部材６２に押さえられた状態において、ディスク受け部材５７の作用部５９又は案内突片６０に下方からの力Ｆが付与されているときには、図１６に示すように、被押さえ面５８ａ、５８ａの前縁がそれぞれ押さえ突部６２ａ、６２ａと接触され、作用部５９及び案内突片６０は被支持部５８から水平方向へ突出するように保持される。このときディスク受け部材５７は、被規制突部６１がイジェクトレバー５５に前方から接触し、作用部５９及び案内突片６０が略上方へ移動する方向への回転が規制される。
【００９８】
メカシャーシ１２の下面には、その後端部にカム部材６３が取り付けられている（図３、図７及び図８参照）。カム部材６３は平板状の被取付板部６４と該被取付板部６４から上方へ突出されたカム部６５とが一体に形成されて成る。
【００９９】
カム部６５はメカシャーシ１２の配置孔１２ａと同じ形状に形成され、該配置孔１２ａに下方から挿入されて配置される。カム部６５には下方に開口されたループ状のカム係合溝６６が形成されている（図１７参照）。カム係合溝６６は第１の経路６７と第２の経路６８とによって構成され、第１の経路６７の始点が最後方に位置されている。第１の経路６７の始点と第２の経路６８の終点とは一致され、第２の経路６８の始点と第１の経路６７の終点とは一致されている。
【０１００】
カム係合溝６６は内壁部６９と該内壁部６９の外側に位置する外壁部７０とによって形成された空間である。
【０１０１】
カム係合溝６６は、第１の経路６７の始点から右斜め前方へ急激に傾斜する第１のカム部６６ａと、該第１のカム部６６ａの終点から左斜め後方に傾斜する第２のカム部６６ｂと、該第２のカム部６６ｂの始点から左斜め前方に傾斜する第３のカム部６６ｃと、該第３のカム部６６ｃの終点から右斜め後方に傾斜する第４のカム部６６ｄとによって構成され、第１のカム部６６ａ、第２のカム部６６ｂ及び第３カム部６６ｃが第１の経路６７とされ、第４のカム部６６ｄが第２の経路６８とされている。
【０１０２】
メカシャーシ１２の下面側にはリンク機構７１が支持されている（図３、図７及び図８参照）。リンク機構７１は第１のアーム７２と第２のアーム７３と第３のアーム７４と第４のアーム７５によって構成されている（図１８参照）。
【０１０３】
第１のアーム７２は略前後に延び、前端部が回転ベース５１の円板部５２における外周部に回動可能に連結されている。
【０１０４】
第１のアーム７２の前後方向における略中央部と該第１のアーム７２の右方に位置するカム部材６３の被取付板部６４との間には第１の引張コイルバネ７６が支持されている。従って、第１のアーム７２は第１の引張コイルバネ７６によって略右方へ移動する方向へ付勢される。
【０１０５】
第１のアーム７２の後端寄りの位置とメカシャーシ１２の左端部との間には第２の引張コイルバネ７７が支持されている。従って、第１のアーム７２は第２の引張コイルバネ７７によって略左方へ移動する方向へ付勢される。第２の引張コイルバネ７７は第１の引張コイルバネ７６より後方に位置されている。
【０１０６】
第２のアーム７３は略左右方向に延び、左端部が第１のアーム７２に回動可能に連結されている。第２のアーム７３は第１のアーム７２における第１の引張コイルバネ７６と第２の引張コイルバネ７７が支持された位置の間の位置に連結されている。第２のアーム７３の左右方向における略中央部には、略前後に延びる挿入係合孔７３ａが形成されている。
【０１０７】
第３のアーム７４は一端側の部分が他の部分に対して水平方向へ屈曲された形状に形成され、他端部が第１のアーム７２に回動可能に連結されている。第３のアーム７４の屈曲された部分には下方へ突出された係合突部７４ａが設けられている。第３のアーム７４の一端部には、上方へ突出されたカム突ピン７４ｂが設けられている。
【０１０８】
第３のアーム７４は、係合突部７４ａが第２のアーム７３の挿入係合孔７３ａに上方から挿入され、カム突ピン７４ｂがカム部材６３のカム係合溝６６に下方から挿入される。
【０１０９】
第１のアーム７２と第３のアーム７４の間には捩じりコイルバネ７８が支持されている。捩じりコイルバネ７８によって、第３のアーム７４と第１のアーム７２の連結点を中心として、第３のアーム７４が略後方へ付勢されると共に第１のアーム７２が略左方へ付勢される。
【０１１０】
第４のアーム７５は略ブーメンラン状に形成され、一端部に下方へ突出された係合軸７５ａを有している。第４のアーム７５の屈曲された部分には被支持孔７５ｂが形成されている。第４のアーム７５は被支持孔７５ｂにメカシャーシ１２の第２の支持ピン１２ｇが挿入され、該支持ピン１２ｇを支点として回動可能とされる。第４のアーム７５は、他端部が第２のアーム７３の右端部に回動可能に連結され、係合軸７５ａがスライドカム２１のリンク用カム溝２５に摺動自在に係合されている。従って、スライドカム２１が前後方向へ移動され、係合軸７５ａのリンク用カム溝２５に対する係合位置が変化されると、第４のアーム７５が回動されリンク機構７１が動作される。
【０１１１】
ロアーシェル７の上面における後端側の位置には、回路基板７９が配置されている（図３、図７及び図８参照）。回路基板７９には、左端寄りの位置にモーター起動用スイッチ８０が設けられている。回路基板７９の右端部には前後に離隔して前側から第１の検出スイッチ８１、第２の検出スイッチ８２及び第３の検出スイッチ８３がそれぞれ設けられている。
【０１１２】
以下に、ディスク状記録媒体１００のローディング時及びイジェクト時におけるディスクドライブ装置５の動作について説明する（図１９乃至図４８参照）。尚、以下において各部の回動方向については、各図に示すＲ１―Ｒ２方向により説明を行う。Ｒ１方向は平面で見て反時計回り方向であり、Ｒ２方向は平面で見て時計回り方向である。
【０１１３】
先ず、ディスク状記録媒体１００がフロントパネル９のディスク挿入口９ａから挿入される前の各部の状態である初期状態について説明する（図１９乃至図２１参照）。
【０１１４】
スライドカム２１とカムプレート２２が結合されて構成されたスライダー２０は、前側の移動端に位置されている（図１９参照）。スライドカム２１はスイッチ押圧部２１ｂが回路基板７９に設けられた第１の検出スイッチ８１に近接して位置され、該第１の検出スイッチ８１、第２の検出スイッチ８２及び第３の検出スイッチ８３ともＯＦＦ状態とされている。
【０１１５】
ベースシャーシ１３は、図２０に示すように、被作用ピン１３ｃが昇降レバー４０の昇降用係合溝４３における下側溝部４３ａに係合され、被作用ピン１３ｄがスライドカム２１の昇降用カム溝２３における下側部２３ａに係合されている。従って、ベースシャーシ１３は下方側の回動端に保持されている。
【０１１６】
ロードレバー２９は、図１９に示すように、板バネ３２によってＲ２方向へ付勢され、係合ピン３０ａがカムプレート２２のカム孔２８における大開口部２８ａの後縁に係合されている。
【０１１７】
センターリングレバー３３は戻しバネ３９によってＲ１方向へ付勢され、レバー本体３４の被規制突部３４ｆがカムプレート２２の押圧片２６ａに接してＲ１方向における回動端に保持されている。
【０１１８】
付勢力制御レバー３８は、第１の摺動ピン３８ａがカムプレート２２のカム孔２８における直線係合部２８ｅに係合され、第２の摺動ピン３８ｂがカムプレート２２の被案内孔２６ｃの後端部に係合され、Ｒ２方向における回動端に保持されている。
【０１１９】
昇降レバー４０は、右側の移動端に位置されている。
【０１２０】
連結レバー４４は、連結ピン４４ａがスライドカム２１の連動用カム溝２４における非作用部２４ａの後端部に係合され、連結ピン４４ｂが昇降レバー４０の連結溝４２ａの後端部に係合されている。
【０１２１】
センターリングベース４５は引張コイルバネ５０によってＲ１方向へ付勢され、センターリング突部４９の下端部がメカシャーシ１２に形成された突部挿入孔１２ｄの開口縁に接してＲ１方向への回動が規制され、Ｒ１方向における回動端に保持されている。
【０１２２】
回転ベース５１はＲ２方向における回動端に保持され、作用突片５２ａがセンターリングベース４５の被押圧ピン４７ｂの後方側に位置され、被押圧片部５３ｂが回路基板７９に設けられたモーター起動用スイッチ８０の前側に位置されている。従って、モーター起動用スイッチ８０はＯＦＦ状態とされている。
【０１２３】
イジェクトレバー５５は、リミッターバネ５６に付勢された状態でＲ２方向における回動端に位置され、イジェクトレバー５５に支持されたディスク受け部材５７は作用部５９及び案内突片６０ともベースシャーシ１３の上方に位置されている。このとき、上記したように、ベースシャーシ１３が下方側の回動端に位置されているため、案内突片６０は前下がりの状態とされてベースシャーシ１３の上面に接し案内突片６０とイジェクトレバー５５の押さえ突片５５ｈとの間に大きな開口が形成されている（図１６参照）。
【０１２４】
リンク機構７１は、図２１に示すように、第３のアーム７４の係合突部７４ａが第２のアーム７３の挿入係合孔７３ａの左側開口縁に接した状態とされ、第３のアーム７４のカム突ピン７４ｂがカム部材６３のカム係合溝６６における第１の経路６７の始点に係合されている。このときカム突ピン７４ｂはカム部材６３の外壁部７０に接した状態とされている。
【０１２５】
第４のアーム７５は係合軸７５ａがスライドカム２１のリンク用カム溝２５における基端部２５ａに係合されている。
【０１２６】
以上に記載した初期状態において、ディスク状記録媒体１００がフロントパネル９のディスク挿入口９ａから手動により挿入されると、図２２に示すように、ディスク状記録媒体１００はロードレバー２９のローラー３１に接しロードレバー２９がディスク状記録媒体１００の挿入に伴って板バネ３２の付勢力に抗してＲ１方向へ回動される。ロードレバー２９はＲ１方向へ回動されることにより、係合ピン３０ａがカムプレート２２の大開口部２８ａの後側開口縁から離隔される。
【０１２７】
尚、ディスク状記録媒体１００のディスク挿入口９ａに対する挿入時及び排出時には、何れもディスク状記録媒体１００は外周部が図示しない案内手段に摺接されて案内され前後方向へ移動されていく。
【０１２８】
ディスク挿入口９ａから挿入されたディスク状記録媒体１００は外周部がイジェクトレバー５５の押さえ突片５５ｈとディスク受け部材５７の案内突片６０との間に挿入されて保持される。
【０１２９】
このとき、上記したように、案内突片６０は前下がりの状態とされ押さえ突片５５ｈと案内突片６０との間には大きな開口が形成されているため、ディスク状記録媒体１００の外周部が確実に挿入され、イジェクトレバー５５によってディスク状記録媒体１００を確実に保持することができる。
【０１３０】
また、案内突片６０と押さえ突片５５ｈが対向する位置にあるため、ディスク状記録媒体１００を確実に保持することができる。
【０１３１】
さらにディスク状記録媒体１００が内部へ挿入されていき後方へ移動されていくと、ロードレバー２９がさらにＲ１方向へ回動されていく（図２３参照）。
【０１３２】
ディスク状記録媒体１００の後方への移動によりセンターリングレバー３３の押さえ部３４ｃがディスク状記録媒体１００によって押圧され、センターリングレバー３３は戻しバネ３９の付勢力に抗してＲ２方向へ回動されていく。
【０１３３】
このときイジェクトレバー５５はディスク状記録媒体１００によって押圧され回転ベース５１と一体となって後方へ移動されていく。従って、回転ベース５１とイジェクトレバー５５は回転ベース５１の回転中心を中心としてＲ１方向へ回動されていく。
【０１３４】
回転ベース５１の回転に伴ってリンク機構７１が動作され、図２４に示すように、第３のアーム７４の係合突部７４ａが第２のアーム７３の挿入係合孔７３ａを移動され、第３のアーム７４のカム突ピン７４ｂが第１の経路６７の始点から第１のカム部６６ａを第２のカム部６６ｂへ向けて移動される。
【０１３５】
このとき第１のアーム７２が移動され、第１の引張コイルバネ７６と第２の引張コイルバネ７７はともに伸長される。
【０１３６】
尚、第１の引張コイルバネ７６と第２の引張コイルバネ７７の引張方向は略反対方向とされているが、ディスク状記録媒体１００のディスクドライブ装置５に対する挿入位置に応じて第１の引張コイルバネ７６と第２の引張コイルバネ７７の付勢力が回転ベース５１を介してイジェクトレバー５５にディスク状記録媒体１００を前方へ押圧する方向への力として付与される。従って、第１の引張コイルバネ７６と第２の引張コイルバネ７７はディスク状記録媒体１００を前方へ押圧する方向への力を付与し得る付勢バネとして機能し、第１の引張コイルバネ７６と第２の引張コイルバネ７７の付勢力は、ディスク状記録媒体１００のディスクドライブ装置５に対する挿入位置に応じてディスク状記録媒体１００の挿入時における反力として使用者に作用する。
【０１３７】
イジェクトレバー５５がＲ１方向へ回動されるときには、ディスク受け部材５７の作用部５９がベースシャーシ１３の上方からメカシャーシ１２の上面に乗り上げられる。従って、ディスク受け部材５７は作用部５９の先端部及び案内突片６０の先端部が上方へ移動する方向へ回動され、案内突片６０がイジェクトレバー５５の押さえ突片５５ｈに近付き略水平な状態とされる（図１６参照）。
【０１３８】
ディスク状記録媒体１００がさらに後方へ移動されていくと、ロードレバー２９のローラー３１がディスク状記録媒体１００の前後方向における中央より後側の部分に接し（図２５参照）、板バネ３２の付勢力がディスク状記録媒体１００の後方へ向けての移動力として作用する。
【０１３９】
ディスク状記録媒体１００の後方への移動によりセンターリングレバー３３がディスク状記録媒体１００によってさらに押圧され、センターリングレバー３３は戻しバネ３９の付勢力に抗してさらにＲ２方向へ回動されていく。
【０１４０】
イジェクトレバー５５はディスク状記録媒体１００によってさらに押圧され回転ベース５１と一体となって回動され、該回転ベース５１のスイッチ押圧片部５３ｃによってモーター起動用スイッチ８０が操作されてＯＮ状態とされる。モーター起動用スイッチ８０がＯＮ状態とされると、駆動モーター１７が一方（正転方向）へ回転される。
【０１４１】
尚、モーター起動用スイッチ８０がＯＮ状態とされ駆動モーター１７の回転が開始された後は、該駆動モーター１７の駆動力によるディスク状記録媒体１００のローディングが行われるため、使用者の手動によるディスク状記録媒体１００の挿入は不要となる。
【０１４２】
駆動モーター１７が回転されると、その駆動力がウォーム１８及び減速ギヤ群１９を介してスライドカム２１に伝達され、該スライドカム２１とカムプレート２２によって構成されたスライダー２０が後方へ移動されていく。
【０１４３】
駆動モーター１７の回転によりスライドカム２１が後方へ移動されると、該スライドカム２１のスイッチ押圧部２１ｂによって第１の検出スイッチ８１がＯＮ状態とされるが、駆動モーター１７は正転方向へ回転された状態が保持される。
【０１４４】
スライドカム２１の後方への移動により、連結レバー４４は連結ピン４４ａがスライドカム２１の連動用カム溝２４における非作用部２４ａを相対的に前方へ向けて移動される。従って、昇降レバー４０は移動されない。
【０１４５】
カムプレート２２の後方への移動により、付勢力制御レバー３８は、図２５に示すように、第１の摺動ピン３８ａがカムプレート２２の直線係合部２８ｅから傾斜係合部２８ｆへ向けて相対的に移動され、第２の摺動ピン３８ｂがカムプレート２２の被案内孔２６ｃを前方へ向けて相対的に移動されていく。
【０１４６】
回転ベース５１の回転に伴い、図２６に示すように、第３のアーム７４の係合突部７４ａが第２のアーム７３の挿入係合孔７３ａを移動され、第３のアーム７４のカム突ピン７４ｂがカム部材６３の第１の経路６７を第２のカム部６６ｂの始点まで移動される。
【０１４７】
さらに駆動モーター１７が回転されると、さらにカムプレート２２が後方へ移動され、付勢力制御レバー３８は第１の摺動ピン３８ａがカムプレート２２の傾斜係合部２８ｆを相対的に前方へ向けて移動され、Ｒ１方向へ回動されていく（図２７参照）。付勢力制御レバー３８がＲ１方向へ回動されることにより、戻しバネ３９の付勢力が大きくなりセンターリングレバー３３のディスク状記録媒体１００の挿入に対する反力が大きくなっていく。
【０１４８】
このときカムプレート２２は後方への移動により大開口部２８ａの前側開口縁がロードレバー２９の係合ピン３０ａに接する。ディスク状記録媒体１００は後方へ移動されず、回転ベース５１及びイジェクトレバー５５は回動されない。
【０１４９】
駆動モーター１７の回転によりスライドカム２１が後方へ移動されるため、リンク機構７１は動作される（図２８参照）。リンク機構７１が動作されることにより、第３のアーム７４のカム突ピン７４ｂがカム部材６３の第１の経路６７を第２のカム部６６ｂの始点から第３のカム部６６ｃの始点まで移動される。
【０１５０】
スライドカム２１の後方への移動により、図２７に示すように、連結レバー４４は連結ピン４４ａがスライドカム２１の連動用カム溝２４における非作用部２４ａをさらに相対的に前方へ向けて移動される。
【０１５１】
駆動モーター１７がさらに回転され、スライダー２０が引き続き後方へ移動されていく（図２９参照）。スライダー２０の移動により、カムプレート２２の大開口部２８ａの前側開口縁によってロードレバー２９の係合ピン３０ａが後方へ押圧され、ロードレバー２９がＲ２方向へ回動されていく。従って、ローラー３１によってディスク状記録媒体１００が後方へ押圧され、該ディスク状記録媒体１００が再び後方へ移動されていく。
【０１５２】
付勢力制御レバー３８は、カムプレート２２の後方への移動により第１の摺動ピン３８ａがカムプレート２２の傾斜係合部２８ｆの前端部まで相対的に移動され、Ｒ１方向へ回動されていく。このときディスク状記録媒体１００が後方へ移動されてセンターリングレバー３３がＲ２方向へ回動されると共に付勢力制御レバー３８がＲ１方向へ回動されるため、戻しバネ３９の付勢力がさらに大きくなりセンターリングレバー３３のディスク状記録媒体１００の挿入に対する反力がさらに大きくなっていく。
【０１５３】
ディスク状記録媒体１００の後方への移動により回転ベース５１及びイジェクトレバー５５はＲ１方向へ回動されていく。このときディスク状記録媒体１００の外周面がセンターリングベース４５のセンターリング突部４９を第１の傾斜面４９ａから第２の傾斜面４９ｂまで摺接され、センターリングベース４５はディスク状記録媒体１００に左方側へ押圧されて引張コイルバネ５０の付勢力に抗してＲ２方向へ回動される。
【０１５４】
ディスク状記録媒体１００はロードレバー２９のローラー３１、センターリングレバー３３の押さえ部３４ｃ及びセンターリングベース４５のセンターリング突部４９によって放射方向から３点で保持される。
【０１５５】
スライドカム２１の後方への移動及び回転ベース５１のＲ１方向への回転に伴いリンク機構７１が動作され、図３０に示すように、第３のアーム７４のカム突ピン７４ｂがカム部材６３の第１の経路６７を第３のカム部６６ｃの始点から第４のカム部６６ｄの始点寄りの位置まで移動される。第４のアーム７５は係合軸７５ａがスライドカム２１のリンク用カム溝２５における基端部２５ａを後側直線部２５ｂへ向けて移動されていく。
【０１５６】
スライドカム２１の後方への移動により、連結レバー４４は連結ピン４４ａがスライドカム２１の連動用カム溝２４における非作用部２４ａを相対的にさらに前方へ向けて移動される。
【０１５７】
さらに駆動モーター１７が回転され、スライダー２０が引き続き後方へ移動されていく（図３１参照）。
【０１５８】
スライダー２０の移動により、カムプレート２２の大開口部２８ａの前側開口縁によってロードレバー２９の係合ピン３０ａがさらに後方へ押圧され、ロードレバー２９がＲ２方向へ回動されていく。ディスク状記録媒体１００はローラー３１によって後方へ押圧され、ロードレバー２９がＲ２方向へ回動されて係合ピン３０ａが第１の直線部２８ｂに対応して位置されたところで係合ピン３０ａがカムプレート２２の後方への移動に伴って第２の直線部２８ｄに係合される。
【０１５９】
ロードレバー２９は係合ピン３０ａが第２の直線部２８ｄに係合されることにより、Ｒ２方向への回動が停止され、ディスク状記録媒体１００の後方へ移動が停止される。このときディスク状記録媒体１００は中心孔１００ａがディスクテーブル１５のセンターリング突部１５ｂの真上に位置されている。
【０１６０】
付勢力制御レバー３８は、カムプレート２２の後方への移動により第１の摺動ピン３８ａがカムプレート２２の傾斜係合部２８ｆから大開口部２８ａまで相対的に移動される。このときディスク状記録媒体１００が後方へ移動されてセンターリングレバー３３がＲ２方向へ回動されることにより、戻しバネ３９の付勢力が最大とされている。
【０１６１】
ディスク状記録媒体１００の後方への移動により回転ベース５１及びイジェクトレバー５５がＲ１方向へ回動され、ディスク状記録媒体１００の後方への移動の停止に伴って回転ベース５１及びイジェクトレバー５５の回動が停止される。このときディスク状記録媒体１００は、依然として、ロードレバー２９のローラー３１、センターリングレバー３３の押さえ部３４ｃ及びセンターリングベース４５のセンターリング突部４９によって放射方向から３点で保持され、ディスクテーブル１５に対してセンターリングされる。
【０１６２】
スライドカム２１の後方への移動及び回転ベース５１のＲ１方向への回転に伴いリンク機構７１が動作され（図３２参照）、スライドカム２１の後方への移動に伴って第４のアーム７５の係合軸７５ａがスライドカム２１のリンク用カム溝２５における基端部２５ａから後側直線部２５ｂまで移動され、該後側直線部２５ｂを前方へ向けて相対的に移動されていく。第３のアーム７４のカム突ピン７４ｂはカム部材６３の第１の経路６７を第４のカム部６６ｄの始点まで移動される。
【０１６３】
カム突ピン７４ｂが第４のカム部６６ｄの始点まで移動された状態において、第３のアーム７４と第１のアーム７２との間に支持された捩じりコイルバネ７８の付勢力によって第３のアーム７４がＲ１方向へ付勢されており、カム突ピン７４ｂが外壁部７０に接する方向へ付勢されている。従って、捩じりコイルバネ７８は、カム突ピン７４ｂが第１の経路６７から第２の経路６８へ向かう方向へ第３のアーム７４を付勢するバネ部材として機能する。
【０１６４】
スライドカム２１の後方への移動により、連結レバー４４は連結ピン４４ａがスライドカム２１の連動用カム溝２４における非作用部２４ａから作用部２４ｂまで相対的に移動される。従って、連結レバー４４はＲ１方向へ回動され、連結ピン４４ｂが昇降レバー４０の連結溝４２ａを前方へ向けて移動され、昇降レバー４０が左方へ向けて移動されていく。昇降レバー４０が左方へ向けて移動されていくと、ベースシャーシ１３の被作用ピン１３ｃが昇降レバー４０の昇降用係合溝４３における下側溝部４３ａを相対的に右方へ向けて移動されていく。このときスライドカム２１の後方への移動により、同時にベースシャーシ１３の被作用ピン１３ｄがスライドカム２１の昇降用カム溝２３における下側部２３ａを相対的に前方へ向けて移動されていく。
【０１６５】
引き続き駆動モーター１７が回転され、スライダー２０が引き続き後方へ移動されていく（図３３参照）。
【０１６６】
スライダー２０の後方への移動により、ロードレバー２９は係合ピン３０ａが第２の直線部２８ｄから斜部２８ｃを経て第１の直線部２８ｂまで相対的に移動される。従って、ロードレバー２９はＲ１方向へ回動され、ローラー３１がディスク状記録媒体１００の外周面から離隔され、ディスク状記録媒体１００のローラー３１による保持が解除される。
【０１６７】
付勢力制御レバー３８は、カムプレート２２の後方への移動により第１の摺動ピン３８ａがカムプレート２２の大開口部２８ａから第２の直線部２８ｄまで相対的に移動される。
【０１６８】
カムプレート２２の後方への移動により、押圧片２６ａによってセンターリングレバー３３の規制バネ３５の被押圧片部３６ａが後方へ押圧される。規制バネ３５の被押圧片部３６ａが後方へ押圧されることにより、センターリングレバー３３はＲ２方向へ回動され、押さえ部３４ｃがディスク状記録媒体１００の外周面から離隔され、ディスク状記録媒体１００の押さえ部３４ｃによる保持が解除される。このときセンターリングレバー３３は図示しないストッパーによってＲ２方向への回動が規制される。規制バネ３５はバネ部３７がセンターリングレバー３３の腕部３４ｂに押し付けられて撓む。従って、レバー本体３４の必要以上の回動が規制され、その分、センターリングレバー３３の回動スペースが小さくて済み、ディスクドライブ装置５の小型化を図ることができる。
【０１６９】
スライドカム２１の後方への移動及び回転ベース５１のＲ１方向への回動に伴いリンク機構７１が動作され（図３４参照）、第４のアーム７５の係合軸７５ａがスライドカム２１のリンク用カム溝２５における後側直線部２５ｂから傾斜部２５ｃを経て前側直線部２５ｄまで相対的に移動される。係合軸７５ａが傾斜部２５ｃを経て前側直線部２５ｄまで移動されることにより、第４のアーム７５はＲ１方向へ回動され、第３のアーム７４のカム突ピン７４ｂはカム部材６３の第４のカム部６６ｄの始点に保持される。
【０１７０】
連結レバー４４は連結ピン４４ａが作用部２４ｂに係合されているため、スライドカム２１の後方への移動によりＲ１方向へさらに回動される。連結レバー４４は連結ピン４４ｂが昇降レバー４０の連結溝４２ａを後端部から前端部まで移動され、昇降レバー４０がさらに左方へ移動される。
【０１７１】
昇降レバー４０が左方へ移動されると、ベースシャーシ１３の被作用ピン１３ｃが昇降レバー４０の昇降用係合溝４３を下側溝部４３ａから上側溝部４３ｄまで相対的に移動される。このとき同時にスライドカム２１が後方へ向けて移動されており、ベースシャーシ１３の被作用ピン１３ｄがスライドカム２１の昇降用カム溝２３を下側部２３ａから上側部２３ｄまで相対的に移動される。従って、ベースシャーシ１３はメカシャーシ１２に対してディスクテーブル１５が上方へ移動する方向へ回動され、該ディスクテーブル１５がディスク状記録媒体１００の中心孔１００ａに挿入されてディスク状記録媒体１００のチャッキングが行われる。
【０１７２】
尚、ディスク状記録媒体１００のチャッキングは、図３５に示すように、ベースシャーシ１３の被作用ピン１３ｃと被作用ピン１３ｄがそれぞれ昇降用係合溝４３の左側傾斜溝部４３ｂの上端と昇降用カム溝２３の後側傾斜部２３ｂの上端まで相対的に移動されたときに、ディスクテーブル１５の上端部がアッパーシェル８の挿通孔８ａから突出され、アッパーシェル８の下面にディスク状記録媒体１００の上面が接して該ディスク状記録媒体１００の内周部が保持爪１５ｃ、１５ｃ、１５ｃとテーブル部１５ａとによって挟持されることにより行われる。
【０１７３】
ベースシャーシ１３は、図３６に示すように、被作用ピン１３ｃと被作用ピン１３ｄがそれぞれ昇降用係合溝４３の上側溝部４３ｄと昇降用カム溝２３の上側部２３ｄまで相対的に移動されることにより、記録再生が行われる位置に保持される。
【０１７４】
スライドカム２１の後方への移動により、図３３に示すように、スイッチ押圧部２１ｂによって第２の検出スイッチ８２と第３の検出スイッチ８３が順に操作されてＯＮ状態とされる。第２の検出スイッチ８２がＯＮ状態とされても駆動モーター１７の回転は停止されないが、第３の検出スイッチ８３がＯＮ状態とされることにより駆動モーター１７の回転が一旦停止され、引き続き他方（反転方向）へ回転される。
【０１７５】
駆動モーター１７が反転方向へ回転されると、スライドカム２１が前方へ移動され、ベースシャーシ１３は被作用ピン１３ｃと被作用ピン１３ｄがそれぞれ昇降用係合溝４３の左側傾斜溝部４３ｂの上端と昇降用カム溝２３の後側傾斜部２３ｂの上端まで再度移動され、再びディスクテーブル１５によるディスク状記録媒体１００に対するチャッキング動作が行われる。
【０１７６】
スライドカム２１が前方へ移動されると第３の検出スイッチ８３はＯＦＦ状態とされ、次いで、第２の検出スイッチ８２もＯＦＦ状態とされる。第２の検出スイッチ８２がＯＦＦ状態とされると、再び駆動モーター１７が一旦停止され、続いて正転方向へ回転される。
【０１７７】
駆動モーター１７が再び正転方向へ回転されることによりスライドカム２１が後方へ移動され、第２の検出スイッチ８２に続いて第３の検出スイッチ８３がＯＮ状態とされることにより駆動モーター１７の回転が停止され、スライダー２０が後方側の移動端に保持される。
【０１７８】
上記のように、ディスクドライブ装置５にあっては、ディスクテーブル１５によるディスク状記録媒体１００に対するチャッキング動作が２回行われる。従って、ディスク状記録媒体１００のチャッキングを確実に行うことができる。
【０１７９】
スライドカム２１が後方へ移動されるときには、上記のように、昇降レバー４０が左方へ移動され、該昇降レバー４０によって回転ベース５１の被押圧片部５３ｂが左方へ押圧される（図３３及び図３４参照）。
【０１８０】
被押圧片部５３ｂが左方へ押圧されることにより、回転ベース５１はイジェクトレバー５５と一体となってＲ１方向へ回動される。
【０１８１】
回転ベース５１がＲ１方向へ回動されると、作用突片５２ａによってセンターリングベース４７の被押圧ピン４７ｂが右方へ押圧され、センターリングベース４７がＲ２方向へ回動されてセンターリング突部４９がディスク状記録媒体１００の外周面から離隔され、ディスク状記録媒体１００のセンターリング突部４９による保持が解除される。
【０１８２】
また、イジェクトレバー５５がＲ１方向へ回動されることにより、イジェクトレバー５５がディスク状記録媒体１００の外周面から離隔される。
【０１８３】
尚、ディスク状記録媒体１００の後方への移動中に、例えば、他の部材との接触等により回転ベース５１のＲ１方向への回動動作が規制されたとしても、イジェクトレバー５５はリミッターバネ５６の付勢力に抗して回転ベース５１に対して独立してＲ１方向へ回動可能である。従って、ディスク状記録媒体１００の後方への移動時にイジェクトレバー５５、回転ベース５１及びディスク状記録媒体１００が破損するようなことがない。
【０１８４】
上記のように、ロードレバー２９のローラー３１、センターリングレバー３３の押さえ部３４ｃ及びセンターリングベース４５のセンターリング突部４９によるディスク状記録媒体１００に対する保持が解除されると共にイジェクトレバー５５がディスク状記録媒体１００の外周面から離隔された状態においてディスクテーブル１５によるチャッキングが行われることにより、ディスク状記録媒体１００が回転可能な状態とされる。
【０１８５】
ディスク状記録媒体１００はスピンドルモーター１４の回転によるディスクテーブル１５の回転に伴って回転され、光ピックアップ１６の駆動によりディスク状記録媒体１００に対する情報信号の記録又は再生が行われる。
【０１８６】
情報信号の記録又は再生が終了すると、図示しないイジェクト釦に対する使用者の操作により、駆動モーター１７の反転方向への回転が開始される。
【０１８７】
駆動モーター１７が反転方向へ回転されると、図３７に示すように、スライダー２０が前方へ移動され、スライドカム２１の前方への移動により第３の検出スイッチ８３及び第２の検出スイッチ８２が順にＯＦＦ状態とされるが、駆動モーター１７は引き続き反転方向へ回転される。
【０１８８】
スライダー２０の前方への移動により、リンク機構７１の動作を除いて、上記したローディング時における動作とは反対方向の動作が行われ、ベースシャーシ１３は被作用ピン１３ｃが昇降レバー４０の上側溝部４３ｄから下側溝部４３ａへ向けて相対的に移動され、被作用ピン１３ｄがスライドカム２１の上側部２３ｄから下側部２３ａへ向けて相対的に移動されていく。
【０１８９】
同時に、スライダー２０の前方への移動により、図３７に示すように、連結レバー４４はＲ２方向へ回動され、ロードレバー２９の係合ピン３０ａはカムプレート２２のカム孔２８における第２の直線部２８ｄまで移動され、付勢力制御レバー３８は第１の摺動ピン３８ａがカムプレート２２のカム孔２８における大開口部２８ａまで移動され、カムプレート２２の押圧片２６ａはセンターリングレバー３３の被押圧片部３６ａから前方に離隔され、昇降レバー４０による回転ベース５１の被押圧片部５３ｂに対する押圧が解除されて回転ベース５１及びイジェクトレバー５５がＲ２方向へ回動され、第４のアーム７５の係合軸７５ａはスライドカム２１のリンク用カム溝２５における後側直線部２５ｂまで移動される。
【０１９０】
ロードレバー２９は板バネ３２の付勢力によってＲ２方向へ回動されてローラー３１がディスク状記録媒体１００の外周面に接触され、センターリングレバー３３は戻しバネ３９の付勢力によってＲ１方向へ回動されて押さえ部３４ｃがディスク状記録媒体１００の外周面に接触され、センターリングベース４５は引張コイルバネ５０の付勢力によってＲ１方向へ回動されてセンターリング突部４９がディスク状記録媒体１００の外周面に接触され、再びディスク状記録媒体１００がロードレバー２９、センターリングレバー３３及びセンターリングベース４５によって保持される。
【０１９１】
イジェクトレバー５５がＲ２方向へ回動されることにより、ディスク状記録媒体１００はイジェクトレバー５５の押さえ突片５５ｈとディスク受け部材５７の案内突片６０によって保持される。
【０１９２】
第３のアーム７４のカム突ピン７４ｂはカム部材６３の第４のカム部６６ｄの始点に保持されたままである（図３８参照）。
【０１９３】
駆動モーター１７の回転によりさらにスライドカム２１が前方へ移動されていくと、図３９に示すように、連結レバー４４はさらにＲ２方向へ回動され、昇降レバー４０が右方側の移動端まで移動される。ベースシャーシ１３は被作用ピン１３ｃが昇降レバー４０の上側溝部４３ｄから下側溝部４３ａまで相対的に移動され、被作用ピン１３ｄがスライドカム２１の上側部２３ｄから下側部２３ａまで相対的に移動され、ベースシャーシ１３の回動に伴ってディスクテーブル１５が下降される。このときディスク状記録媒体１００はロードレバー２９、センターリングレバー３３及びセンターリングベース４５によって保持されているため、ディスク状記録媒体１００に対してディスクテーブル１５が下降され、ディスク状記録媒体１００に対するディスクテーブル１５によるチャッキングが解除される。
【０１９４】
スライドカム２１の前方への移動によって第４のアーム７５は係合軸７５ａがスライドカム２１のリンク用カム溝２５における後側直線部２５ｂを後方へ向けて相対的に移動される。第３のアーム７４のカム突ピン７４ｂはカム部材６３の第４のカム部６６ｄの始点に保持されたままである（図４０参照）。
【０１９５】
駆動モーター１７の回転によりスライドカム２１はさらに前方へ移動されていく（図４１参照）。
【０１９６】
スライドカム２１の前方への移動によりリンク機構７１が動作され（図４２参照）、第４のアーム７５の係合軸７５ａがスライドカム２１のリンク用カム溝２５における後側直線部２５ｂから基端部２５ａまで相対的に移動される。第３のアーム７４のカム突ピン７４ｂはカム部材６３の第２の経路６８を第４のカム部６６ｄの始点から第１のカム部６６ａの始点へ向けて移動されていく。
【０１９７】
このとき第３のアーム７４のカム突ピン７４ｂはカム部材６３の外壁部７０に接した状態で第２の経路６８を移動され、第１のアーム７２と第３のアーム７４が為す角度α（図４２参照）は変化しない。また、第１のアーム７２と第２のアーム７３が為す角度β（図４２参照）も変化しない。
【０１９８】
このように回転ベース５１を介してイジェクトレバー５５にディスク状記録媒体１００を前方へ押圧する方向への力を付与し得る第１の引張コイルバネ７６及び第２の引張コイルバネ７７を支持する第１のアーム７２と第３のアーム７４又は第２のアーム７３とが為す角度α、βが変化されないため、ディスク状記録媒体１００に対する第１の引張コイルバネ７６及び第２の引張コイルバネ７７の付勢力が抑制される。従って、ディスク状記録媒体１００は、第１の引張コイルバネ７６及び第２の引張コイルバネ７７の付勢力が抑制された状態において、駆動モーター１７の駆動力によるイジェクトレバー５５のＲ２方向への回動動作によって前方へ移動されていく。
【０１９９】
上記したリンク機構７１の動作により、回転ベース５１はイジェクトレバー５５と一体となってＲ２方向へ回動され、イジェクトレバー５５に押圧されてディスク状記録媒体１００が前方へ移動されていく。このときセンターリングレバー３３は戻しバネ３９の付勢力によりＲ１方向へ回動され、ロードレバー２９はディスク状記録媒体１００の前方への移動に伴いＲ１方向へ回動されて係合ピン３０ａがカムプレート２２のカム孔２８における大開口部２８ａまで移動される。
【０２００】
センターリングベース４５はディスク状記録媒体１００の前方への移動により、該ディスク状記録媒体１００と摺接されてＲ２方向へ回動される。
【０２０１】
付勢力制御レバー３８はカムプレート２２の前方への移動に伴ってＲ２方向へ回動され、第１の摺動ピン３８ａがカムプレート２２のカム孔２８における傾斜係合部２８ｆを相対的に後方へ移動されていく。
【０２０２】
ディスク状記録媒体１００は前方への移動により、一部がフロントパネル９のディスク挿入口９ａから突出されていく。
【０２０３】
引き続き駆動モーター１７が反転方向へ回転され、スライドカム２１はさらに前方へ移動されていく（図４３参照）。
【０２０４】
スライドカム２１の前方への移動によりリンク機構７１が動作され、第３のアーム７４のカム突ピン７４ｂはカム部材６３の第２の経路６８を引き続き第１のカム部６６ａの始点へ向けて移動されていく（図４４参照）。
【０２０５】
このとき第３のアーム７４のカム突ピン７４ｂはカム部材６３の外壁部７０に接した状態で第２の経路６８を移動され、第３のアーム７４の係合突部７４ａは第２のアーム７３に形成された挿入係合孔７３ａの開口縁に接した状態で移動され、第１のアーム７２と第３のアーム７４が為す角度α（図４４参照）及び第１のアーム７２と第２のアーム７３が為す角度β（図４４参照）も変化しない。従って、ディスク状記録媒体１００は、第１の引張コイルバネ７６及び第２の引張コイルバネ７７の付勢力が抑制された状態において、駆動モーター１７の駆動力によるイジェクトレバー５５のＲ２方向への回動動作によって前方へ移動されていく。
【０２０６】
上記のように、カム部材６３の外壁部７０は第３のアーム７４のカム突ピン７４ｂを規制し、アーム７３に形成された挿入係合孔７３ａの開口縁は第３のアーム７４の係合突部７４ａを規制するため、外壁部７０及び挿入係合孔７３ａは、ディスク状記録媒体１００に第１の引張コイルバネ７６及び第２の引張コイルバネ７７の付勢力が抑制される状態にリンク機構７１の各アームの位置を規制する位置規制手段として機能する。
【０２０７】
上記したリンク機構７１の動作により、図４３に示すように、回転ベース５１はイジェクトレバー５５と一体となってＲ２方向へ回転され、イジェクトレバー５５に押圧されてディスク状記録媒体１００がさらに前方へ移動されていく。センターリングレバー３３は戻しバネ３９の付勢力によりさらにＲ１方向へ回動され、ロードレバー２９はディスク状記録媒体１００の前方への移動に伴いさらにＲ１方向へ回動される。
【０２０８】
このときイジェクトレバー５５に支持されたディスク受け部材５７は、案内突片６０がディスクテーブル１５のテーブル部１５ａの上方又はベースシャーシ１３の上方に位置され、作用部５９がメカシャーシ１２の上面と接した状態にある（図４５参照）。作用部５９がメカシャーシ１２の上面と接した状態にある。
【０２０９】
従って、作用部５９がメカシャーシ１２の上面と接しているため、案内突片６０は略水平な状態に保持されてディスクテーブル１５のテーブル部１５ａの上面及びベースシャーシ１３の上面から上方に離隔されている。
【０２１０】
このようにディスク状記録媒体１００のイジェクト時において案内突片６０がテーブル部１５ａ上を通過するときに、案内突片６０はテーブル部１５ａの上面及びベースシャーシ１３の上面から上方に離隔されるため、案内突片６０がテーブル部１５ａとベースシャーシ１３の隙間等に入り込むようなことがなく、イジェクトレバー５５によるディスク状記録媒体１００のイジェクト動作の信頼性の向上を図ることができる。
【０２１１】
また、作用部５９と案内突片６０を有するディスク受け部材５７を設け、作用部５９の位置に応じて案内突片６０のベースシャーシ１３に対する高さ位置が変化されるため、簡単な構成によって確実なイジェクト動作の実行を図ることができる。
【０２１２】
ディスク状記録媒体１００は、前方への移動により中心孔１００ａより前側の部分がフロントパネル９のディスク挿入口９ａから突出される。
【０２１３】
さらに駆動モーター１７が回転され、スライドカム２１はさらに前方へ移動されていく（図４６参照）。
【０２１４】
スライドカム２１の前方への移動によりリンク機構７１が動作され（図４７参照）、第３のアーム７４のカム突ピン７４ｂは外壁部７０に接した状態でカム部材６３の第２の経路６８を第１のカム部６６ａの始点まで移動される。
【０２１５】
このとき第１のアーム７２と第３のアーム７４が為す角度α（図４７参照）及び第１のアーム７２と第２のアーム７３が為す角度β（図４７参照）は変化せず、ディスク状記録媒体１００は、第１の引張コイルバネ７６及び第２の引張コイルバネ７７の付勢力が抑制された状態において、駆動モーター１７の駆動力によるイジェクトレバー５５のＲ２方向への回動動作によって前方へ移動される。
【０２１６】
リンク機構７１の動作により、回転ベース５１はイジェクトレバー５５と一体となってＲ２方向へさらに回転され、イジェクトレバー５５に押圧されてディスク状記録媒体１００がさらに前方へ移動されていく。センターリングレバー３３は戻しバネ３９の付勢力により被規制突部３４ｆがカムプレート２２の押圧片２６ａに接する位置までさらにＲ１方向へ回動される。
【０２１７】
ロードレバー２９はディスク状記録媒体１００の前方への移動に伴いさらにＲ１方向へ回動される。
【０２１８】
ディスク状記録媒体１００は前方への移動により、中心孔１００ａを含む部分がフロントパネル９のディスク挿入口９ａから突出される。
【０２１９】
このときイジェクトレバー５５に支持されたディスク受け部材５７は、作用部５９がベースシャーシ１３の上方に位置され、案内突片６０がディスクテーブル１５のテーブル部１５ａを通過されてベースシャーシ１３の上方に位置され、作用部５９及び案内突片６０が斜め下方へ突出されベースシャーシ１３の上面に接した状態とされる（図４８参照）。
【０２２０】
スライドカム２１の前方への移動により、第１の検出スイッチ８１の操作が解除されてＯＦＦ状態とされ、駆動モーター１７の回転が停止される。
【０２２１】
使用者は、ディスク挿入口９ａから突出部分を把持してディスク状記録媒体１００をディスクドライブ装置５から取り出すことができる。
【０２２２】
ディスク状記録媒体１００がディスクドライブ装置５から取り出されると、ロードレバー２９は板バネ３２の付勢力によってＲ２方向へ係合ピン３０ａがスライドカム２１のカム孔２８における後側開口縁に接する位置まで回動される。
【０２２３】
駆動モーター１７の回転が停止された状態において、ディスクドライブ装置５の各部は、ディスク状記録媒体１００がフロントパネル９のディスク挿入口９ａから挿入される前の初期状態（図１９参照）に戻る。
【０２２４】
以上に記載した通り、ディスクドライブ装置５にあっては、第１の引張コイルバネ７６及び第２の引張コイルバネ７７の付勢力が抑制された状態において、駆動モーター１７の駆動力によるイジェクトレバー５５の回動動作によってディスク状記録媒体がイジェクトされるため、バネの付勢力によってディスク状記録媒体１００をイジェクトする場合のディスク状記録媒体の排出量が変化し得るという不具合を生じることがなく、ディスク状記録媒体１００のディスク挿入口９ａからの排出量を一定に保持することができる。
【０２２５】
また、第２のアーム７３の挿入係合孔７３ａに対する第３のアーム７４の係合突部７４ａの係合状態とカム部材６３の外壁部７０に対する第３のアーム７４のカム突ピン７４ｂの係合状態とによって、リンク機構７１の各アームの位置を規制してディスク状記録媒体１００に対する第１の引張コイルバネ７６及び第２の引張コイルバネ７７の付勢力がイジェクト時に抑制される状態としているため、各アームの位置規制を確実かつ簡単に行うことができる。
【０２２６】
さらに、ディスクドライブ装置５にあっては、ディスク状記録媒体１００のローディング時に第３のアーム７４のカム突ピン７４ｂがカム係合溝６６の第１の経路６７を移動され、ディスク状記録媒体１００のイジェクト時に第３のアーム７４のカム突ピン７４ｂが第２の経路６８を移動されるため、ローディング時とイジェクト時のカム突ピン７４ｂの移動経路が別経路であり、動作が明確であり、動作の信頼性の向上を図ることができる。
【０２２７】
さらにまた、ディスクドライブ装置５にあっては、ローディングの開始からイジェクトの終了までに第３のアーム７４のカム突ピン７４ｂがカム係合溝６６を一周する動作が行われるため、ローディングの開始時にカム突ピン７４ｂを確実に動作開始前の初期状態の位置に戻すことができる。
【０２２８】
また、ディスクドライブ装置５にあっては、第３のアーム７４のカム突ピン７４ｂがカム係合溝６６の第４のカム部６６ｄの始点まで移動された状態において、捩じりコイルバネ７８の付勢力によってカム突ピン７４ｂが外壁部７０に接する方向へ付勢されている。従って、カム突ピン７４ｂが第１の経路６７を移動された後に確実に第２の経路６８へ向かうため、動作の信頼性の向上を図ることができる。
【０２２９】
加えて、ディスクドライブ装置５にあっては、第３のアーム７４のカム突ピン７４ｂのカム係合溝６６に対する位置に拘わらず、駆動モーター１７が正転方向へ回転されたときにはカム突ピン７４ｂが第４のカム部６６ｄの始点まで移動され、駆動モーター１７が反転方向へ回転されたときにはカム突ピン７４ｂが第１のカム部６６ａの始点まで移動される。従って、駆動モーター１７の回転方向に応じてカム突ピン７４ｂの位置が決定され、カム突ピン７４ｂの位置検出を容易かつ確実に行うことができる。
【０２３０】
ディスクドライブ装置５にあっては、ディスク状記録媒体１００のディスクドライブ装置５に対する挿入位置に応じて動作される付勢力制御レバー３８を用いてセンターリングレバー３３に対する戻しバネ３９の付勢力を制御しているため、戻しバネ３９の付勢力を必要に応じて変化させることが可能となり、ディスク状記録媒体１００のセンターリングの安定化及びディスク状記録媒体１００のディスクドライブ装置５に対する良好な挿入性を確保することができる。
【０２３１】
尚、上記には、ディスク状記録媒体１００のディスクドライブ装置５に対する挿入前よりも挿入後において戻しバネ３９の付勢力が大きくなるようにした例を示したが、付勢力制御レバー３８を用いることにより、逆に、ディスク状記録媒体１００のディスクドライブ装置５に対する挿入前よりも挿入後において戻しバネ３９の付勢力が小さくなるように設定することも可能である。
【０２３２】
また、ディスクドライブ装置５にあっては、ディスク状記録媒体１００の移動方向と同じ方向へ移動するスライダー２０を設け、該スライダー２０の移動に伴って付勢力制御レバー３８を動作させてセンターリングレバー３３に対する戻しバネ３９の付勢力を制御するようにしているため、戻しバネ３９の付勢力の制御をディスクドライブ装置５に対するディスク状記録媒体１００の挿入位置に応じて確実に制御することができる。
【０２３３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２３４】
【図１】図２乃至図４８と共に本発明を実施するための最良の形態を示すものであり、本図は電子機器の斜視図である。
【図２】ディスクドライブ装置とディスク状記録媒体を示す斜視図である。
【図３】ディスクドライブ装置の分解斜視図である。
【図４】ディスクドライブ装置の内部機構の一部を示す分解斜視図である。
【図５】メカシャーシとベースシャーシとリンク機構等を示す分解斜視図である。
【図６】スライドカムと昇降レバーと連結レバー等を示す拡大分解斜視図である。
【図７】ディスクドライブ装置の内部機構を示す斜視図である。
【図８】ディスクドライブ装置の内部機構を示す概略平面図である。
【図９】スライダーを示す拡大分解斜視図である。
【図１０】カムプレートと付勢力制御レバーとロードレバー等を示す拡大分解斜視図である。
【図１１】センターリングレバーと付勢力制御レバーを示す拡大斜視図である。
【図１２】昇降レバーを示す拡大斜視図である。
【図１３】センターリングベースを示す拡大斜視図である。
【図１４】回転ベースとイジェクトレバーと該イジェクトレバーに支持される各部材とを示す拡大分解斜視図である。
【図１５】ディスク受け部材に下方からの力が付与されていない状態を一部を断面にして示す概略拡大側面図である。
【図１６】ディスク受け部材に下方からの力が付与されている状態を一部を断面にして示す概略拡大側面図である。
【図１７】カム部材のカム部を示す拡大断面図である。
【図１８】リンク機構を示す拡大斜視図である。
【図１９】図２０乃至図４８と共にディスクドライブ装置の動作を示すものであり、本図は、初期状態を示す概略平面図である。
【図２０】ベースシャーシ等の初期状態を示す概略側面図である。
【図２１】リンク機構等の初期状態を示す概略拡大平面図である。
【図２２】ディスク状記録媒体のディスク挿入口からの挿入が開始された状態を示す概略平面図である。
【図２３】図２２に引き続き駆動モーターの正転方向への回転が開始された状態を示す概略平面図である。
【図２４】図２２に引き続き駆動モーターの正転方向への回転が開始されたときのリンク機構等の状態を示す概略拡大平面図である。
【図２５】図２３に引き続き駆動モーターが正転方向へ回転されたときの状態を示す概略平面図である。
【図２６】図２３に引き続き駆動モーターが正転方向へ回転されたときのリンク機構等の状態を示す概略拡大平面図である。
【図２７】図２５に引き続き駆動モーターが正転方向へ回転されたときの状態を示す概略平面図である。
【図２８】図２５に引き続き駆動モーターが正転方向へ回転されたときのリンク機構等の状態を示す概略拡大平面図である。
【図２９】図２７に引き続き駆動モーターが正転方向へ回転されたときの状態を示す概略平面図である。
【図３０】図２７に引き続き駆動モーターが正転方向へ回転されたときのリンク機構等の状態を示す概略拡大平面図である。
【図３１】図２９に引き続き駆動モーターが正転方向へ回転されたときの状態を示す概略平面図である。
【図３２】図２９に引き続き駆動モーターが正転方向へ回転されたときのリンク機構等の状態を示す概略拡大平面図である。
【図３３】駆動モーターの正転方向への回転が停止されたときの状態を示す概略平面図である。
【図３４】駆動モーターの正転方向への回転が停止されたときのリンク機構等の状態を示す概略拡大平面図である。
【図３５】ディスク状記録媒体がチャッキングされるときのベースシャーシ等の状態を示す概略側面図である。
【図３６】ディスク状記録媒体のチャッキングが完了し記録再生が可能な位置にあるときのベースシャーシ等の状態を示す概略側面図である。
【図３７】駆動モーターの反転方向への回転が開始された状態を示す概略平面図である。
【図３８】駆動モーターの反転方向への回転が開始されたときのリンク機構等の状態を示す概略拡大平面図である。
【図３９】図３７に引き続き駆動モーターが反転方向へ回転されたときの状態を示す概略平面図である。
【図４０】図３７に引き続き駆動モーターが反転方向へ回転されたときのリンク機構等の状態を示す概略拡大平面図である。
【図４１】図３９に引き続き駆動モーターが反転方向へ回転されたときの状態を示す概略平面図である。
【図４２】図３９に引き続き駆動モーターが反転方向へ回転されたときのリンク機構等の状態を示す概略拡大平面図である。
【図４３】図４１に引き続き駆動モーターが反転方向へ回転されたときの状態を示す概略平面図である。
【図４４】図４１に引き続き駆動モーターが反転方向へ回転されたときのリンク機構等の状態を示す概略拡大平面図である。
【図４５】ディスク受け部材等の状態を一部を断面にして示す概略拡大側面図である。
【図４６】駆動モーターの反転方向への回転が停止されたときの状態を示す概略平面図である。
【図４７】駆動モーターの反転方向への回転が停止されたときのリンク機構等の状態を示す概略拡大平面図である。
【図４８】図４５に引き続くディスク受け部材等の状態を一部を断面にして示す概略拡大側面図である。
【符号の説明】
【０２３５】
１００…ディスク状記録媒体、１…電子機器、５…ディスクドライブ装置、９ａ…ディスク挿入口、１２…メカシャーシ、１３…ベースシャーシ、１４…スピンドルモーター、１５…ディスクテーブル、５５…イジェクトレバー（支持部材）、５５ｈ…押さえ突片、５７…ディスク受け部材、５８…被支持部、５９…作用部、６０…案内突片（案内手段）、６２…押さえ部材
【図１】
2008016133.tif 000003
【図２】
2008016133.tif 000004
【図３】
2008016133.tif 000005
【図４】
2008016133.tif 000006
【図５】
2008016133.tif 000007
【図６】
2008016133.tif 000008
【図７】
2008016133.tif 000009
【図８】
2008016133.tif 000010
【図９】
2008016133.tif 000011
【図１０】
2008016133.tif 000012
【図１１】
2008016133.tif 000013
【図１２】
2008016133.tif 000014
【図１３】
2008016133.tif 000015
【図１４】
2008016133.tif 000016
【図１５】
2008016133.tif 000017
【図１６】
2008016133.tif 000018
【図１７】
2008016133.tif 000019
【図１８】
2008016133.tif 000020
【図１９】
2008016133.tif 000021
【図２０】
2008016133.tif 000022
【図２１】
2008016133.tif 000023
【図２２】
2008016133.tif 000024
【図２３】
2008016133.tif 000025
【図２４】
2008016133.tif 000026
【図２５】
2008016133.tif 000027
【図２６】
2008016133.tif 000028
【図２７】
2008016133.tif 000029
【図２８】
2008016133.tif 000030
【図２９】
2008016133.tif 000031
【図３０】
2008016133.tif 000032
【図３１】
2008016133.tif 000033
【図３２】
2008016133.tif 000034
【図３３】
2008016133.tif 000035
【図３４】
2008016133.tif 000036
【図３５】
2008016133.tif 000037
【図３６】
2008016133.tif 000038
【図３７】
2008016133.tif 000039
【図３８】
2008016133.tif 000040
【図３９】
2008016133.tif 000041
【図４０】
2008016133.tif 000042
【図４１】
2008016133.tif 000043
【図４２】
2008016133.tif 000044
【図４３】
2008016133.tif 000045
【図４４】
2008016133.tif 000046
【図４５】
2008016133.tif 000047
【図４６】
2008016133.tif 000048
【図４７】
2008016133.tif 000049
【図４８】
2008016133.tif 000050